【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
記録媒体を備え、ファイルの格納先を特定するための特定情報を参照して、当該ファイルへのアクセスが可能なデータ記録装置であって、
互いに関連する複数のファイルをそれぞれ構成するファイルデータを受け取るデータ受取手段と、
受取った、前記互いに関連する複数のファイルをそれぞれ構成するファイルデータを、前記記録媒体に記録するデータ記録手段と、
受け取った前記各ファイルデータの記録が完了する毎に、当該ファイルデータによって構成されるファイルへのアクセス時に参照される、当該ファイルの格納先を示す格納先情報を作成し、作成した前記格納先情報を前記記録媒体に記録するデータ格納先情報記録手段と、
受け取った前記各ファイルデータの前記記録媒体への記録が全て完了した場合に、記録が完了した前記各ファイルデータによって構成される全てのファイルについて、前記データ格納先情報記録手段によって作成された格納先情報の格納先を特定する特定情報を作成し、当該特定情報を前記記録媒体に記録する特定情報記録手段と
を備えることを特徴とするデータ記録装置。
【請求項２】
前記記録媒体には、前記互いに関連する複数のファイルの更新前の各ファイルをそれぞれ構成するファイルデータと、更新前の前記各ファイルに関する特定情報が既に記録されており、
前記データ記録手段は、新たに受け取った、前記互いに関連する複数のファイルの更新後の各ファイルをそれぞれ構成するファイルデータを、更新前の前記各ファイルを構成するファイルデータが前記記録媒体において既に記録されている記録領域とは異なる記録領域に記録し、
前記特定情報記録手段は、受け取った、前記互いに関連する複数のファイルの更新後の各ファイルをそれぞれ構成するファイルデータの前記記録媒体への記録が全て完了した場合に、更新後の前記各ファイルに関する特定情報を新たに作成し、既に記録されている更新前の前記各ファイルに関する特定情報の参照を無効にし、更新後の前記各ファイルに関する特定情報の参照を有効にすることを特徴とする請求項１記載のデータ記録装置。
【請求項３】
前記記録媒体は、複数のクラスタから構成されるファイルデータ記録領域とクラスタの使用状態を示すクラスタ使用テーブルを記録しているテーブル記録領域を含み、
前記データ記録手段は、
前記クラスタ使用テーブルを参照して、受け取ったファイルデータを記録するための未使用状態のクラスタを特定するクラスタ特定手段と、
特定した前記クラスタに受け取ったファイルデータを記録するクラスタ記録手段と、
前記クラスタ使用テーブルにおいて、特定したクラスタの使用状態を更新した、更新後のクラスタ使用テーブルを作成する更新テーブル作成手段と、
受け取った全てのファイルについて、格納先情報の前記記録媒体への記録が完了した場合に、作成した更新後のクラスタ使用テーブルを前記記録媒体に記録するテーブル更新手段と
を有することを特徴とする請求項２記載のデータ記録装置。
【請求項４】
前記データ記録装置はさらに、一括して更新すべき複数のファイルを指定するグループファイル指定手段を備え、
前記データ受取手段は、指定された複数のファイル単位でファイルデータを受け取る
ことを特徴とする請求項３記載のデータ記録装置。
【請求項５】
記録媒体を備え、ファイルの格納先を特定するための特定情報を参照して、当該ファイルへのアクセスが可能なデータ記録装置に用いるデータ記録方法であって、
前記データ記録方法は、
互いに関連する複数のファイルをそれぞれ構成するファイルデータを受け取るデータ受取ステップと、
受け取った、前記互いに関連する複数のファイルをそれぞれ構成するファイルデータを、前記記録媒体に記録するデータ記録ステップと、
受け取った前記各ファイルデータの記録が完了する毎に、当該ファイルデータによって構成されるファイルへのアクセス時に参照される、当該ファイルの格納先を示す格納先情報を作成し、作成した前記格納先情報を前記記録媒体に記録するデータ格納先情報記録ステップと、
受け取った前記各ファイルデータの前記記録媒体への記録が全て完了した場合に、記録が完了した前記各ファイルデータによって構成される全てのファイルについて、前記データ格納先情報記録手段によって作成された格納先情報の格納先を特定する特定情報を作成し、当該特定情報を前記記録媒体に記録する特定情報記録ステップと
を含むことを特徴とするデータ記録方法。
【請求項６】
記録媒体を備え、ファイルの格納先を特定するための特定情報を参照して、当該ファイルへのアクセスが可能なデータ記録装置にデータ記録処理を実行させるプログラムであって、
前記データ記録処理は、
互いに関連する複数のファイルをそれぞれ構成するファイルデータを受け取るデータ受取ステップと、
受け取った、前記互いに関連する複数のファイルをそれぞれ構成するファイルデータを、前記記録媒体に記録するデータ記録ステップと、
受け取った前記各ファイルデータの記録が完了する毎に、当該ファイルデータによって構成されるファイルへのアクセス時に参照される、当該ファイルの格納先を示す格納先情報を作成し、作成した前記格納先情報を前記記録媒体に記録するデータ格納先情報記録ステップと、
受け取った前記各ファイルデータの前記記録媒体への記録が全て完了した場合に、記録が完了した前記各ファイルデータによって構成される全てのファイルについて、前記データ格納先情報記録手段によって作成された格納先情報の格納先を特定する特定情報を作成し、当該特定情報を前記記録媒体に記録する特定情報記録ステップと
を含むことを特徴とするプログラム。
【請求項７】
記録媒体を備え、ファイルの格納先を特定するための特定情報を参照して、当該ファイルへのアクセスが可能なデータ記録装置にデータ記録処理を実行させるプログラムを記録したコンピュータ読取可能な記録媒体であって、
前記データ記録処理は、
互いに関連する複数のファイルをそれぞれ構成するファイルデータを受け取るデータ受取ステップと、
受け取った、前記互いに関連する複数のファイルをそれぞれ構成するファイルデータを、前記記録媒体に記録するデータ記録ステップと、
受け取った前記各ファイルデータの記録が完了する毎に、当該ファイルデータによって構成されるファイルへのアクセス時に参照される、当該ファイルの格納先を示す格納先情報を作成し、作成した前記格納先情報を前記記録媒体に記録するデータ格納先情報記録ステップと、
受け取った前記各ファイルデータの前記記録媒体への記録が全て完了した場合に、記録が完了した前記各ファイルデータによって構成される全てのファイルについて、前記データ格納先情報記録手段によって作成された格納先情報の格納先を特定する特定情報を作成し、当該特定情報を前記記録媒体に記録する特定情報記録ステップと
を含むことを特徴とするコンピュータ読取可能な記録媒体。
【手続補正２】
【補正対象書類名】明細書
【補正対象項目名】００１２
【補正方法】変更
【補正の内容】
【００１２】
上記課題を解決するために、本発明は、記録媒体を備え、ファイルの格納先を特定するための特定情報を参照して、当該ファイルへのアクセスが可能なデータ記録装置であって、互いに関連する複数のファイルをそれぞれ構成するファイルデータを受け取るデータ受取手段と、受取った、前記互いに関連する複数のファイルをそれぞれ構成するファイルデータを、前記記録媒体に記録するデータ記録手段と、受け取った前記各ファイルデータの記録が完了する毎に、当該ファイルデータによって構成されるファイルへのアクセス時に参照される、当該ファイルの格納先を示す格納先情報を作成し、作成した前記格納先情報を前記記録媒体に記録するデータ格納先情報記録手段と、受け取った前記各ファイルデータの前記記録媒体への記録が完了した場合に、記録が完了した前記各ファイルデータによって構成される全てのファイルについて、前記データ格納先情報記録手段によって作成された格納先情報の格納先を特定する特定情報を作成し、当該特定情報を前記記録媒体に記録する特定情報記録手段とを備える。
【手続補正３】
【補正対象書類名】明細書
【補正対象項目名】００１３
【補正方法】変更
【補正の内容】
【００１３】
又、本発明は、記録媒体を備え、ファイルの格納先を特定するための特定情報を参照して、当該ファイルへのアクセスが可能なデータ記録装置に用いるデータ記録方法であって、前記データ記録方法は、互いに関連する複数のファイルをそれぞれ構成するファイルデータを受け取るデータ受取ステップと、受け取った、前記互いに関連する複数のファイルをそれぞれ構成するファイルデータを、前記記録媒体に記録するデータ記録ステップと、受け取った前記各ファイルデータの記録が完了する毎に、当該ファイルデータによって構成されるファイルへのアクセス時に参照される、当該ファイルの格納先を示す格納先情報を作成し、作成した前記格納先情報を前記記録媒体に記録するデータ格納先情報記録ステップと、 
受け取った前記各ファイルデータの前記記録媒体への記録が全て完了した場合に、記録が完了した前記各ファイルデータによって構成される全てのファイルについて、前記データ格納先情報記録手段によって作成された格納先情報の格納先を特定する特定情報を作成し、当該特定情報を前記記録媒体に記録する特定情報記録ステップとを含むこととしてもよい。
【手続補正４】
【補正対象書類名】明細書
【補正対象項目名】００１４
【補正方法】変更
【補正の内容】
【００１４】
又、本発明は、記録媒体を備え、ファイルの格納先を特定するための特定情報を参照して、当該ファイルへのアクセスが可能なデータ記録装置にデータ記録処理を実行させるプログラムであって、前記データ記録処理は、互いに関連する複数のファイルをそれぞれ構成するファイルデータを受け取るデータ受取ステップと、受け取った、前記互いに関連する複数のファイルをそれぞれ構成するファイルデータを、前記記録媒体に記録するデータ記録ステップと、受け取った前記各ファイルデータの記録が完了する毎に、当該ファイルデータによって構成されるファイルへのアクセス時に参照される、当該ファイルの格納先を示す格納先情報を作成し、作成した前記格納先情報を前記記録媒体に記録するデータ格納先情報記録ステップと、受け取った前記各ファイルデータの前記記録媒体への記録が全て完了した場合に、記録が完了した前記各ファイルデータによって構成される全てのファイルについて、前記データ格納先情報記録手段によって作成された格納先情報の格納先を特定する特定情報を作成し、当該特定情報を前記記録媒体に記録する特定情報記録ステップとを含むこととしてもよい。
【手続補正５】
【補正対象書類名】明細書
【補正対象項目名】００１５
【補正方法】変更
【補正の内容】
【００１５】
又、本発明は、記録媒体を備え、ファイルの格納先を特定するための特定情報を参照して、当該ファイルへのアクセスが可能なデータ記録装置にデータ記録処理を実行させるプログラムを記録したコンピュータ読取可能な記録媒体であって、前記データ記録処理は、互いに関連する複数のファイルをそれぞれ構成するファイルデータを受け取るデータ受取ステップと、受け取った、前記互いに関連する複数のファイルをそれぞれ構成するファイルデータを、前記記録媒体に記録するデータ記録ステップと、受け取った前記各ファイルデータの記録が完了する毎に、当該ファイルデータによって構成されるファイルへのアクセス時に参照される、当該ファイルの格納先を示す格納先情報を作成し、作成した前記格納先情報を前記記録媒体に記録するデータ格納先情報記録ステップと、受け取った前記各ファイルデータの前記記録媒体への記録が全て完了した場合に、記録が完了した前記各ファイルデータによって構成される全てのファイルについて、前記データ格納先情報記録手段によって作成された格納先情報の格納先を特定する特定情報を作成し、当該特定情報を前記記録媒体に記録する特定情報記録ステップとを含むこととしてもよい。
【手続補正６】
【補正対象書類名】明細書
【補正対象項目名】００１６
【補正方法】変更
【補正の内容】
【００１６】
本発明は、上記の構成を備えることにより、複数のファイルの記録中に中断が生じた場合に、再起動時において、復旧処理を行うことなく、複数ファイル間の整合性を保った状態で、各ファイルへのアクセスを可能とすることができる。
ここで、前記記録媒体には、前記互いに関連する複数のファイルの更新前の各ファイルをそれぞれ構成するファイルデータと、更新前の前記各ファイルに関する特定情報が既に記録されており、前記データ記録手段は、新たに受け取った、前記互いに関連する複数のファイルの更新後の各ファイルをそれぞれ構成するファイルデータを、更新前の前記各ファイルを構成するファイルデータが前記記録媒体において既に記録されている記録領域とは異なる記録領域に記録し、前記特定情報記録手段は、受け取った、前記互いに関連する複数のファイルの更新後の各ファイルをそれぞれ構成するファイルデータの前記記録媒体への記録が全て完了した場合に、更新後の前記各ファイルに関する特定情報を新たに作成し、既に記録されている更新前の前記各ファイルに関する特定情報の参照を無効にし、更新後の前記各ファイルに関する特定情報の参照を有効にすることとしてもよい。
【手続補正７】
【補正対象書類名】明細書
【補正対象項目名】００１７
【補正方法】削除
【補正の内容】